(57)【要約】  実施形態に係るヘルメットマウント機構１は、暗視装置１０をヘルメット９に装着する。ヘルメットマウント機構１は、スライドガイド部３、スライド移動部４、支持部５を具備する。スライドガイド部３は、ヘルメット９前面に固定されており、暗視装置１０の使用位置と暗視装置１０の収納位置との間のスライド軌跡にそった移動を提供する。スライド移動部４は、スライドガイド部３との間でスライド可能に備えられる。支持部５は、スライド移動部４に備えられており、暗視装置１０を支える。
2012042644.tif 000002
【特許請求の範囲】
【請求項１】
暗視装置をヘルメットに装着するためのヘルメットマウント機構において、
ヘルメット前面に固定されており、前記暗視装置の使用位置と前記暗視装置の収納位置との間のスライド軌跡にそった移動を提供するスライドガイド部と、
前記スライドガイド部との間でスライド可能に備えられるスライド移動部と、
前記スライド移動部に備えられており、前記暗視装置を支える支持部と
を具備するヘルメットマウント機構。
【請求項２】
前記支持部と前記暗視装置との間を連結し、前記支持部に対してスライド可能に移動し、前記使用位置において前記暗視装置とユーザの眼との間の前後位置を調整するための位置調整部をさらに具備する請求項１のヘルメットマウント機構。
【請求項３】
前記使用位置におけるスライド移動部と前記暗視装置との間の傾斜角を調整するための傾斜角調整部をさらに具備する請求項２のヘルメットマウント機構。
【請求項４】
前記使用位置と前記収納位置との間の任意の位置で、前記スライド移動部と前記スライドガイド部との固定及び固定解除を行うロック部をさらに具備する請求項１記載のヘルメットマウント機構。
【請求項５】
前記暗視装置の使用時において、前記スライド移動部は、前記スライドガイド部における前記スライド軌跡の下端側に配置され、
前記暗視装置の非使用時において、前記スライド移動部は、前記スライドガイド部における前記スライド軌跡の上端側に配置される
請求項１のヘルメットマウント機構。
【請求項６】
前記スライドガイド部は、円弧状、半円状又はＵ字状を含む前記スライド軌跡を形成しており、
前記支持部は、レール構造又はシャフト形状であり、一端が前記スライド移動部に連結されている
請求項１のヘルメットマウント機構。
【発明の詳細な説明】
【技術分野】
【０００１】
本発明の実施形態は、暗視装置をヘルメットに装着するためのヘルメットマウント機構に関する。
【背景技術】
【０００２】
暗視装置は、一般的に、夜間又は暗闇の空間を可視化し、ユーザが夜間又は暗闇で作業する場合に使用される。暗視装置は、微少な光を増幅してユーザが視認することができる可視出力イメージに変換する。【０００３】
暗視装置が警備目的に使用される場合、ユーザの作業を阻害しないために、この暗視装置を装着するヘルメット、又は、暗視装置をヘルメットに装着するためのヘルメットマウント機構が、従来から利用されている。【０００４】
従来のヘルメットマウント機構の一例として、フリップアップ式のヘルメットマウント機構がある。フリップアップ式のヘルメットマウント機構は、暗視装置を、ユーザの眼の前の使用位置と、ユーザの視線より上の収納位置との間で移動可能とする回転機構を持つ。フリップアップ式のヘルメットマウント機構が利用されることにより、ユーザは、暗視装置を、使用位置と収納位置との間で、片手で移動させることができる。【０００５】
このような従来のフリップアップ式のヘルメットマウント機構においては、片手で位置を調整することを重視するが、使用位置と収納位置との間で位置を変えるための可変動作が硬くなる傾向にあり、可変動作の際にユーザのヘルメットがずれるなど、ユーザの行動が阻害される場合もある。【０００６】
また、従来のフリップアップ式のヘルメットマウント機構においては、回転機構が必要であり、この回転機構の劣化又は故障により耐久性が低下する場合がある。【０００７】
さらに、従来のフリップアップ式のヘルメットマウント機構においては、回転機構を含むため、機構の簡素化、メンテナンスが困難である。
【発明の概要】
【発明が解決しようとする課題】
【０００８】
本発明の実施形態は、暗視装置の位置をスムーズに調整可能な暗視装置のヘルメットマウント機構を提供することを目的とする。
【課題を解決するための手段】
【０００９】
実施形態によれば、ヘルメットマウント機構は、暗視装置をヘルメットに装着する。ヘルメットマウント機構は、スライドガイド部、スライド移動部、支持部を具備する。スライドガイド部は、ヘルメット前面に固定されており、暗視装置の使用位置と暗視装置の収納位置との間のスライド軌跡にそった移動を提供する。スライド移動部は、スライドガイド部との間でスライド可能に備えられる。支持部は、スライド移動部に備えられており、暗視装置を支える。
【図面の簡単な説明】
【００１０】
【図１】図１は、第１の実施形態に係る暗視装置のヘルメットマウント機構の使用状態の一例を示す正面側斜視図である。
【図２】図２は、第１の実施形態に係る暗視装置のヘルメットマウント機構の収納状態の一例を示す正面側斜視図である。
【図３】図３は、第１の実施形態に係る暗視装置のヘルメットマウント機構の使用状態の一例を示す側面図である。
【図４】図４は、第１の実施形態に係る暗視装置のヘルメットマウント機構の使用状態の一例を示す背面側斜視図である。
【図５】図５は、第１のロック部の一例を示す断面図である。
【図６】図６は、シャフト状の支持部を備えるヘルメットマウント機構の使用状態の一例を示す正面側斜視図である。
【図７】図７は、第２のロック部の一例を示す断面図である。
【図８】図８は、第２の実施形態に係る暗視装置のヘルメットマウント機構の使用状態の一例を示す側面図である。
【図９】図９は、第２の実施形態に係る暗視装置のヘルメットマウント機構の使用状態の一例を示す正面図である。
【図１０】図１０は、第２の実施形態に係る暗視装置のヘルメットマウント機構の使用状態の一例を示す上面図である。
【図１１】図１１は、第２の実施形態に係る暗視装置のヘルメットマウント機構の収納状態の一例を示す側面図である。
【図１２】図１２は、第２の実施形態に係る暗視装置のヘルメットマウント機構の収納状態の一例を示す正面図である。
【図１３】図１３は、第２の実施形態に係る暗視装置のヘルメットマウント機構の収納状態の一例を示す上面図である。
【発明を実施するための形態】
【００１１】
以下、図面を参照しながら本発明の各実施の形態について説明する。なお、以下の各図において同一又はほぼ同一の要素には同一の符号を付して説明を省略するか又は簡単に説明し、異なる部分についてのみ詳しく説明する。
【００１２】
（第１の実施形態）
本実施形態では、暗視装置を使用位置と収納位置（非使用位置）との間でスライド移動させるヘルメットマウント機構について説明する。
【００１３】
図１は、本実施形態に係る暗視装置のヘルメットマウント機構の使用状態の一例を示す正面側斜視図である。
【００１４】
図２は、本実施形態に係る暗視装置のヘルメットマウント機構の収納状態の一例を示す正面側斜視図である。
【００１５】
図３は、本実施形態に係る暗視装置のヘルメットマウント機構の使用状態の一例を示す側面図である。
【００１６】
図４は、本実施形態に係る暗視装置のヘルメットマウント機構の収納状態の一例を示す背面側斜視図である。
【００１７】
スライド式の暗視装置用ヘルメットマウント機構１は、ベース部（ベースプレート）２、スライドガイド部（ガイドレール）３、スライド移動部（スライドブロック）４、支持部５、位置調整部６、傾斜角調整部７、第１のロック部８、第２のロック部１３を具備する。
【００１８】
ベース部２は、ヘルメット９の前面部に備えられる。ベース部２は、ユーザがヘルメット８を装着した場合に、ヘルメット９を介して、額の位置に配置される。本実施形態において、ベース部２は、プレート状である。このベース部２は、ヘルメット９に対して、ヘルメットマウント機構１を装着するために用いられる。ベース部２は、ヘルメット９の前方のエッジにフック１１ａにより固定される。また、ベース部２は、ヘルメット９の後方のエッジに連結紐１２経由でフック１１ｂにより固定される。
【００１９】
スライドガイド部３は、ベース部２に備えられる。スライドガイド部３は、暗視装置１０に対する、使用位置から収納位置まで又は収納位置から使用位置までのスライド移動を案内する。例えば、スライドガイド部３は、使用位置から収納位置まで暗視装置１０をスライド移動させるためのレール又は溝を備える。レール又は溝の一端は、ベース部２の下側に配置される。このレール又は溝の一端は、使用位置に対応する。レール又は溝の他端は、ベース部２の上側に配置される。このレール又は溝の他端は、収納位置に対応する。
【００２０】
本実施形態のスライドガイド部３によって実現されるスライド軌道は、例えば、円弧状、半円状、Ｕ字状を含むとしてもよい。
【００２１】
本実施形態において、スライドガイド部３は、垂直方向と平行に、互いに対向するレール部３ａ，３ｂを具備する。レール部３ａ，３ｂには、それぞれスライド軌跡に基づいて溝又は空間が形成されている。
【００２２】
スライド移動部４は、スライドガイド部３のスライド軌跡にそって、スライド可能に取り付けられている。スライド移動部４は、スライドガイド部３によって導かれ、暗視装置１０の使用位置から収納位置までのスライド軌道にそってスライド可能である。
【００２３】
本実施形態において、スライド移動部４は、スライドガイド部３のレール部３ａ，３ｂに挟まれる状態で配置される。スライド移動部４は、水平（横）方向に伸びる凸部４１ａ，４２ａ，４１ｂ，４２ｂを備えている。凸部４１ａ，４２ａは、レール部３ａの溝又は空間に挿入される。凸部４１ｂ，４２ｂは、レール部３ｂの溝又は空間に挿入される。この凸部４１ａ，４２ａ，４１ｂ，４２ｂが溝又は空間にそって移動することで、暗視装置１０のスライド移動が実現される。
【００２４】
第１のロック部８は、ユーザの意思にしたがって、スライド移動部４をスライド軌道上の任意の位置で固定し、また固定解除する。図５に示すように、第１のロック部８は、第１の刻み目部８ａと第１のストッパー部８ｂと第１のバネ８ｃを備えている。第１の刻み目部８ａは、複数の刻み目を備えており、例えば、レール部３ａ，３ｂの間のベース部２又はスライドガイド部３に備えられる。第１の刻み目部８ａにおける複数の刻み目は、縦方向に配列される。第１のストッパー部８ｂは、第１の刻み目部８ａのいずれかの刻み目とかみ合い、第１のバネ８ｃによって固定される。これにより、ベース部２又はスライドガイド部３と、スライド移動部４との間の位置関係は、ロックされる。第１のストッパー部８ｂは、スライド時に、ロック解除され、ある刻み目から他の刻み目に移動する。これにより、ベース部２又はスライドガイド部３に対するスライド移動部４の位置調整が可能になる。
【００２５】
なお、本実施形態において、第１のロック部８は、第１の刻み目部８ａと第１のストッパー部８ｂとの噛み合わせを解除するボタン（図示せず）を備えるとしてもよい。この場合、スライド時に、ボタンが押され、これにより第１のストッパー部８ｂが刻み目から外れ、ベース部２又はスライドガイド部３に対するスライド移動部４の自由な位置調整が可能になる。
【００２６】
支持部５は、位置調整部６経由で、暗視装置１０を支持する。また、支持部５は、スライド移動部４に接続される。本実施形態において、支持部５はレール状の構造を持つが、例えば図６に例示するように支持部５はシャフト状としてもよい。その他、支持部５には、様々な形状を用いることができる。暗視装置１０の光学軸と支持部５の軸方向とは、ほぼ平行である。
【００２７】
位置調整部６は、支持部５と暗視装置１０との間を連結する。位置調整部６は、支持部５に対する暗視装置１０の位置を調整する。位置調整部６は、支持部５の軸方向に対して、前後にスライド可能である。
【００２８】
第２のロック部１３は、ユーザの意思にしたがって、位置調整部６を支持部５の任意の位置で固定し、また固定解除する。図７に示すように、第２のロック部１３の第２のストッパー部１３ｃは、通常時には、第２の刻み目部１３ａのいずれかの刻み目とかみ合い、第２のバネ１３ｄによって固定される。これにより、支持部５と位置調整部６とはロックされる。第２のロック部１３の第２のストッパー部１３ｃは、ボタン１３ｂが押されると、刻み目から外れる。これにより、支持部５に対する位置調整部６の自由な位置調整が可能になる。
【００２９】
なお、第２のロック部１３においては、ボタン１３ｂを削除し、ボタン１３ｂが押されなくても、刻み目部１３ａのある刻み目から他の刻み目に第２のストッパー部１３ｃが移動可能としてもよい。
【００３０】
傾斜角調整部７は、使用位置におけるスライド移動部４と暗視装置１０との間の傾斜角を調整する。この傾斜角調整部７は、ユーザの視線に対して暗視装置１０の垂直方向における光学軸の傾きを調整する。本実施形態において、傾斜角調整部７は、スライド移動部４と支持部５との間に備えられており、スライド移動部４に対する支持部５の傾きを調整することにより、暗視装置１０の傾斜角を調整する。しかしながら、傾斜角調整部７は他の位置に備えられるとしてもよい。例えば、傾斜角調整部７は、位置調整部６と暗視装置１０との間に備えられており、位置調整部６に対する暗視装置１０の傾斜角を調整するとしてもよい。
【００３１】
本実施形態に係る傾斜角調整部７による角度調整についても、上記第１及び第２のロック部８，１３と同様の手法で、ロック可能とすることができる。
【００３２】
暗視装置１０は、単眼式であり、円筒状の部分と直方体状の部分とを含む。暗視装置１０は、対物レンズ機構、光電子増倍管、裸眼レンズ機構を備える。
【００３３】
本実施形態において、スライド移動部４がスライドガイド部３によるスライド軌跡の下側に位置する場合、暗視装置１０は、ユーザの眼の前の使用位置に配置される。
【００３４】
これに対して、スライド移動部４がスライドガイド部３によるスライド軌跡の上側に位置する場合、暗視装置１０は、ユーザの視界の上の収納位置に配置される。
【００３５】
ヘルメットマウント機構１は、暗視装置１０に対する１以上の位置調整機構を備えている。本実施形態では、使用位置から収納位置までの任意の位置で暗視装置１０の位置を調整するスライド機構（スライドガイド部３、スライド移動部４、第１のロック部８）、ユーザの眼に対する暗視装置９の位置の調整（前後位置又は遠近位置の調整）を行う位置調整部６及び第２のロック部１３、ユーザの眼に対する暗視装置１０の傾斜角を調整する傾斜角調整部７を備える。これらのスライド機構、位置調整部６及び第２のロック部１３、傾斜角調整部７は、片手で操作可能である。
【００３６】
以上説明した本実施形態においては、スライド式のヘルメットマウント機構１が提供される。本実施形態のヘルメットマウント機構１は、片手で暗視装置１０の位置をスライドさせることができる。したがって、暗視装置１０の位置を両手で調整する場合よりも、容易かつ迅速に暗視装置１０の位置を調整することができる。ユーザは、例えば、警備作業において銃を携行しているなどのように両手を使用することが困難な場合であっても、本実施形態のヘルメットマウント機構１を操作することができる。
【００３７】
本実施形態のヘルメットマウント機構１においては、暗視装置１０をスムーズに動かすことができ、例えばヘルメットがずれるなどのようなユーザの行動が阻害されることを防止することができる。
【００３８】
本実施形態においては、フリップアップ式のヘルメットマウント機構よりも、構成を簡単にすることができ、故障の発生を防止することができ、メンテナンスを容易にすることができ、価格を抑えることができる。
【００３９】
（第２の実施形態）
本実施形態では、上記第１の実施形態に係るスライド式のヘルメットマウント機構の変形例について説明する。
【００４０】
図８は、本実施形態に係る暗視装置のヘルメットマウント機構の使用状態の一例を示す側面図である。
【００４１】
図９は、本実施形態に係る暗視装置のヘルメットマウント機構の使用状態の一例を示す正面図である。
【００４２】
図１０は、本実施形態に係る暗視装置のヘルメットマウント機構の使用状態の一例を示す上面図である。
【００４３】
図１１は、本実施形態に係る暗視装置のヘルメットマウント機構の収納状態の一例を示す側面図である。
【００４４】
図１２は、本実施形態に係る暗視装置のヘルメットマウント機構の収納状態の一例を示す正面図である。
【００４５】
図１３は、本実施形態に係る暗視装置のヘルメットマウント機構の収納状態の一例を示す上面図である。
【００４６】
本実施形態に係る暗視装置用ヘルメットマウント機構１は、ベース部２、スライドガイド部３、スライド移動部４、支持部５、位置調整部６、傾斜角調整部７、第１のロック部８を具備する。支持部５はシャフト状である。傾斜角調整部７は、位置調整部６と暗視装置１０との間で、傾斜角を調整する。第１のロック部８は、スライド移動部４と支持部５との間で、ユーザの意思に応じた固定及び固定解除を行う。
【００４７】
以上説明した本実施形態においては、暗視装置１０を、使用位置と収納位置との間の自由な位置にスムーズに移動させることができ、ユーザは位置調整を片手で容易に行うことができる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2012042644.tif 000003
【図２】
2012042644.tif 000004
【図３】
2012042644.tif 000005
【図４】
2012042644.tif 000006
【図５】
2012042644.tif 000007
【図６】
2012042644.tif 000008
【図７】
2012042644.tif 000009
【図８】
2012042644.tif 000010
【図９】
2012042644.tif 000011
【図１０】
2012042644.tif 000012
【図１１】
2012042644.tif 000013
【図１２】
2012042644.tif 000014
【図１３】
2012042644.tif 000015
【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
暗視装置をヘルメットに装着するためのヘルメットマウント機構において、
ヘルメット前面に固定されており、前記暗視装置の使用位置と前記暗視装置の収納位置との間のスライド軌跡にそった移動を提供するスライドガイド部と、
前記スライドガイド部との間でスライド可能に備えられるスライド移動部と、
前記スライド移動部に備えられており、前記暗視装置を支える支持部と、
前記支持部と前記暗視装置との間を連結するための位置調整部と
を具備し、
前記暗視装置を前記収納位置に収納させる際、前記支持部に対して前記位置調整部及び前記暗視装置を固定しつつ、前記スライド軌跡に沿って前記暗視装置を前記使用位置から前記収納位置へとスライドさせるヘルメットマウント機構。
【請求項２】
前記位置調整部は、前記支持部に対してスライド可能に移動し、前記使用位置において前記暗視装置とユーザの眼との間の前後位置を調整する請求項１のヘルメットマウント機構。
【請求項３】
前記使用位置におけるスライド移動部と前記暗視装置との間の傾斜角を調整するための傾斜角調整部をさらに具備する請求項２のヘルメットマウント機構。
【請求項４】
前記使用位置と前記収納位置との間の任意の位置で、前記スライド移動部と前記スライドガイド部との固定及び固定解除を行うロック部をさらに具備する請求項１記載のヘルメットマウント機構。
【請求項５】
前記暗視装置の使用時において、前記スライド移動部は、前記スライドガイド部における前記スライド軌跡の下端側に配置され、
前記暗視装置の非使用時において、前記スライド移動部は、前記スライドガイド部における前記スライド軌跡の上端側に配置される請求項１のヘルメットマウント機構。 
【請求項６】
前記スライドガイド部は、円弧状、半円状又はＵ字状を含む前記スライド軌跡を形成しており、
前記支持部は、レール構造又はシャフト形状であり、一端が前記スライド移動部に連結されている請求項１のヘルメットマウント機構。
【手続補正２】
【補正対象書類名】明細書
【補正対象項目名】０００９
【補正方法】変更
【補正の内容】
【０００９】
実施形態によれば、ヘルメットマウント機構は、暗視装置をヘルメットに装着する。ヘルメットマウント機構は、スライドガイド部、スライド移動部、支持部を具備する。スライドガイド部は、ヘルメット前面に固定されており、暗視装置の使用位置と暗視装置の収納位置との間のスライド軌跡にそった移動を提供する。スライド移動部は、スライドガイド部との間でスライド可能に備えられる。支持部は、スライド移動部に備えられており、前記暗視装置を支え、且つ軸方向が当該暗視装置の光学軸と平行である。位置調整部は前記支持部と前記暗視装置との間を連結する。前記暗視装置を前記収納位置に収納させる際、前記支持部に対して前記位置調整部及び前記暗視装置を固定しつつ、前記スライド軌跡に沿って前記暗視装置を前記使用位置から前記収納位置へとスライドさせる。
【国際調査報告】
2012042644.tif 000016
2012042644.tif 000017